(57)【要約】【課題】マンホールなどの地下に埋設する構造物内に溜る水を確実に自然排水でき、逆に地下水は全く侵入せず、しかもその構造が簡単で耐久性がありその設置も容易な溜水自然排水装置を提供すること。【解決手段】筒状であって少なくともその内部形状が上方向に向かって円錐状にその内径が徐々に小さくなるように形成された筒体を具備し、該筒体の内径の最も小さい部分よりも下側に、最大径が該筒体の内径の最も小さい部分の内径よりも大きいフロートであって、両端に球形面を有する円筒構造のフロートを収納する。この溜水自然排水装置１は、地下に埋設するマンホール等の構造物の床１１１に設けた貫通する排水孔１１３内に収納される。【選択図】図１
2008013955.tif 000002
【特許請求の範囲】
【請求項１】
地下に埋設する構造物の床に設けられ、該構造物内の溜水を排水する溜水自然排水装置において、
前記溜水自然排水装置は、筒状であって少なくともその内部形状が上方向に向かって円錐状にその内径が徐々に小さくなるように形成された筒体を具備し、該筒体の内径の最も小さい部分よりも下側に、最大径が該筒体の内径の最も小さい部分の内径よりも大きいフロートであって、両端に球形面を有する円筒構造のフロートを収納して構成され、前記構造物の床に設けた貫通する排水孔内に収納されることを特徴とする溜水自然排水装置。
【請求項２】
前記筒体の内部には、水位に応じて前記フロートが倒れることなく上下方向に移動することができる該フロートの最大径とほぼ等しい内径を有する円筒形状のフロートガイドが設置されていることを特徴とする請求項１に記載の溜水自然排水装置。
【請求項３】
前記溜水自然排水装置の筒体の内部形状は、その下端から上方向に向かって円錐状にその内径が徐々に小さくなり、更に上方向に向かって円錐状にその内径が徐々に大きくなる形状に形成されていることを特徴とする請求項１又は２に記載の溜水自然排水装置。
【請求項４】
前記溜水自然排水装置の高さは、構造物の床に設けられた排水孔の縦方向の深さより、長いことを特徴とする請求項１乃至３のいずれか一項に記載の溜水自然排水装置。
【請求項５】
前記溜水自然排水装置の上部には、泥溜部が設置されていることを特徴とする請求項１乃至４のいずれか一項に記載の溜水自然排水装置。
【発明の詳細な説明】
【技術分野】
【０００１】
本発明は、地下に埋設するマンホールなどの構造物内に溜る水を自然に排水する溜水自然排水装置に関するものである。
【背景技術】
【０００２】
従来、通信用ケーブルの引込みや引き抜き、接続作業、中継器等の設置、管路やケーブルの点検などのために、地下に埋設した管路の途中にマンホールが設けられている。
【０００３】
ところで雨が降るなどして地上からマンホールの蓋等を介してマンホール内に雨水が侵入した場合、その内部が水浸しになって内部での作業ができなくなってしまう。このため従来、マンホール内の水はポンプ・発電機等によってポンプアップして側溝に排水したり、また排水できない場合はバキューム車を現地へ持ち込んで溜水を組み上げ、所定の処理場に輸送して排水したりしていた。
【０００４】
しかしながら溜水を側溝に排水した場合は、該側溝が溢れるなどの不都合があり、またバキューム車を用いた場合は人件費や燃料などの輸送コストが高くついてしまう。
【０００５】
また何れの方法でも、公道上での作業が多く、交通渋滞や騒音、排水の増水など、地域住民等に迷惑をかけてしまう。
【０００６】
一方マンホール内に溜った水を処理する方法として、マンホールの床に排水孔を開けて排水する方法も考えられる。
【０００７】
しかしながらこの方法の場合、多量の雨が降るなどして地下水の水位が上昇した場合、逆に該排水孔から地下水が侵入してきてしまうという問題点があった。この問題点を解決するためには、該排水孔に、マンホール内部の水は排水するが、地下水は侵入できないような逆止弁機構を設ければよいが、従来、この種の逆止弁機構の構造は複雑でコストが高く、また耐久性にも問題があり、しかも設置済みのマンホールに後から取り付けるにはその工事が容易ではなかった。また一旦逆止弁機構を取り付けた後に、該逆止弁機構にゴミが詰まるなどの不都合が生じた場合、その取り替え作業も煩雑であった。
【０００８】
そこで、発明者は，かかる点に鑑み種々検討を行った結果，特許文献１に示すように、マンホールなどの地下に埋設する構造物内に溜る水を自然排水でき、逆に地下水は侵入せず、しかもその構造が簡単で耐久性がありその設置も容易な溜水自然排水装置を提案した。
【０００９】
【特許文献１】特開平９−４０３３号公報
【発明の開示】
【発明が解決しようとする課題】
【００１０】
本発明の目的は、マンホールなどの地下に埋設する構造物内に溜る水を自然排水でき、逆に地下水を確実に侵入させず、しかもその構造が簡単で耐久性がありその設置も容易な溜水自然排水装置を提供することにある。
【課題を解決するための手段】
【００１１】
上記問題点を解決するため本発明にかかる溜水自然排水装置は、筒状であって少なくともその内部形状が上方向に向かって円錐状にその内径が徐々に小さくなるように形成された筒体を具備し、該筒体の内径の最も小さい部分よりも下側に、最大径が該筒体の内径の最も小さい部分の内径よりも大きいフロートであって、両端に球形面を有する円筒構造のフロートを収納して構成され、前記構造物の床に設けた貫通する排水孔内に収納されるものである。
【００１２】
又、本発明にかかる溜水自然排水装置は、「前記筒体の内部には、水位に応じて前記フロートが倒れることなく上下方向に移動することができる該フロートの最大径とほぼ等しい内径を有する円筒形状のフロートガイドが設置されている」こと、「前記溜水自然排水装置の筒体の内部形状は、その下端から上方向に向かって円錐状にその内径が徐々に小さくなり、更に上方向に向かって円錐状にその内径が徐々に大きくなる形状に形成されている」こと、「前記溜水自然排水装置の高さは、構造物の床に設けられた排水孔の縦方向の深さより、長い」こと、「前記溜水自然排水装置の上部には、泥溜部が設置されている」ことを好ましい態様として含むものである。
【発明の効果】
【００１３】
本発明によれば以下のような優れた効果を有する。
（１）マンホールなどの地下に埋設する構造物内に溜る水を何ら動力を用いずに自然に地中に排水でき、しかも逆に地下水のマンホール内への侵入を確実に防ぐことができる。
（２）構造が簡単でコストがかからず、耐久性もある。
（３）設置済みのマンホールであっても、後からその床に排水孔を開けて挿入するだけで装着できるので、その取り付け工事は容易である。また取り替えのための着脱作業も容易である。
【発明を実施するための最良の形態】
【００１４】
＜実施例１＞
以下、本発明の実施例１を図１〜３に基づいて詳細に説明する。
【００１５】
図３に示すようにこのマンホール１００は、略矩形状であって地中に埋設されるコンクリート製のマンホール本体１１０と、該マンホール本体１１０の上部に取り付けられる筒状の首部１２０と、該首部１２０の上端開口を塞いでちょうど地面の位置にくる蓋１３０とによって構成されている。
【００１６】
そして該マンホール本体１１０の側壁には、通信用ケーブル１４０を貫通する複数本の管路１５０が接続されている。
【００１７】
そしてマンホール本体１１０内には、前記通信用ケーブル１４０を接続するケーブル接続部１６０や、図示しない中継器などが設置されている。
【００１８】
そして本発明にかかる溜水自然排水装置１は、マンホール本体１１０の床１１１の４隅に設けられている。
【００１９】
ここで、図１は、溜水自然排水装置１を排水孔１１３に設置した部分を拡大して示す断面図である。図１に示すようにこの溜水自然排水装置１は、マンホール本体の床１１１に設けた円形の排水孔１１３内に取り付けられている。
【００２０】
この溜水自然排水装置１は、筒体１０の上下両端面に透水性シート２１、２２を取り付け、またその内部には、フロート２と該フロート２をガイドするフロートガイド３を収納して構成されている。
【００２１】
筒体１０は樹脂製であり、その形状は、円筒の中央部をくびらせた形状であり、具体的には、円筒の下端から上方向に向かって円錐状にその内径を徐々に小さくし、最も小さい部分にくびれ部４が設けられ、次に該くびれ部４より上方向に向かって円錐状にその内径を徐々に大きくするような形状に形成されている。また筒体１０の上端辺には、外側に向かって突出するフランジ１５が設けられている。
【００２２】
又、フロート２は、アクリル製の樹脂等で形成されており、その形状は、両端に球形面を有する円筒形状である。フロート２の内部は空洞となっている為、これによって水に浮く構造に形成されている。そして、該フロート２の最大径は筒体１０のくびれ部４の内径よりも大きいため、該フロート２が前記くびれ部４より上方向に移動することはない。
【００２３】
フロートガイド３は、筒体１０の底部より垂直方向に伸びており、又、その内径は該フロート２の最大径とほぼ等しく、該フロート２が倒れない構造となっている。又、流出孔１７は、地下水が上昇してきた場合に、フロートガイド３内の水位と筒体１０内の水位を均等にさせる為の孔である。
【００２４】
次にこの溜水自然排水装置１の床面１１１への取り付け方法を説明する。即ちまずマンホール本体の床１１１に円筒状の排水孔１１３を開ける。この排水孔１１３は床１１１を貫通するが、このときその下側の土１１９にも所定深さの穴１１５を開ける。
【００２５】
次に該穴１１５内に砂利１１２を投入してこれを満たし、排水孔１１３内に、上側から前記溜水自然排水装置１を挿入する。このとき、溜水自然排水装置１のフランジ１５と床１１１上面の間にはリング状のパッキン２０を介在し、排水孔１１３と溜水自然排水装置１の間に水が侵入しないようにしている。
【００２６】
なおフランジ１５は図示しない金具等の固定機構によって床１１１に固定しても良いし、接着剤などを用いて固定しても良い。
【００２７】
次にこの溜水自然排水装置１の作用を説明する。即ちまずマンホール本体の内部に蓋の隙間や、地上に引き出された管路（図示せず）等から雨水等が侵入してきた場合、該溜水は、透水性シート２１を通して筒体１０内に流れ込み、透水性シート２２から砂利１１２を通して土１１９内に浸透していく。
【００２８】
つまりマンホール本体内に侵入した溜水は、ポンプアップしたり下水に流したりする必要はなく、何ら動力を用いずに自然に地面に浸透させることで容易に排水処理ができる。
【００２９】
次に地面内の地下水の水位が上昇してきた場合、該地下水は砂利１１２から透水性シート２２を介して溜水自然排水装置１の筒体１０内に侵入して来る。
【００３０】
このとき、図２に示すように筒体１０内のフロート２は、筒体１０内に侵入してきた地下水の表面上に浮き上がり、地下水の水位上昇とともに上方向に上昇する。そして、フロートガイド３に導かれながらくびれ部４の下部分１８に、フロート２が圧接する。これによって筒体１０内は密閉される。従って地下水はこれ以上上昇することができず、該地下水がマンホール本体内に侵入することはない。
【００３１】
又、前述したようにフロート２は円筒形状であるため、例えばフロートを球状としていた場合と比較すると、全体の体積が大きくなるため、球状のフロートより浮力が大きくなる。その結果、仮に、くびれ部４の下部分１８と圧接する部分に泥等が付着した状態でフロート２が地下水と共に上昇した場合でも、フロート２とくびれ部４の下部分１８との圧接力は衰えないので、地下水がマンホール内に殆ど侵入してこない。又、地下水の水位が下降してくれば、フロート２はその水位に合わせて下降し、筒体の内径の小さい部分から離れ、これによって筒体１０内は開となる。従ってこの溜水自然排水装置１は再びマンホール本体内の溜水の排水作用を行なう。
【００３２】
＜実施例２＞
次に本発明の実施例２を図４〜７に基づいて詳細に説明する。
【００３３】
図４は本発明の他の実施例にかかる溜水自然排水装置１−２を排水孔に設置した状態を示す断面図である。
【００３４】
図４に示すように、この実施例２において実施例１と相違する点は、（１）溜水自然排水装置１−２の上部に粉塵や微粒子が沈殿される沈殿部１９を有する泥溜部５を設けた点、（２）該溜水自然排水装置１−２を設置する際に、マンホールの床１１１より数センチメートル嵩上げした点、（３）溜水自然排水装置１−２に外枠筒体１３、中枠筒体１４及び振止め１６を用いる点である。
【００３５】
尚、前記筒体１０の素材及び前記フロート２の形状は、該筒体１０にフランジが設けられていない点を除けば、実施例１と同様である。
【００３６】
図５に示すように、前記溜水自然排水装置１−２は、マンホールの床１１１より数センチメートル嵩上げして取り付けるので、雨水又は泥水に付着している粉塵や微粒子が前記筒体１０内に侵入しづらくなる。その為、従来の溜水自然排水装置より、該筒体１０の内側面に粉塵や微粒子が付着しなくなり、排水機能が向上する。
【００３７】
又、図６に示すように、前記溜水自然排水装置１−２の上部には、前記筒体の内部に侵入してくる粉塵や微粒子を沈殿させる沈殿部１９が前記泥溜部５に設置されている。その為、従来の溜水自然排水装置より、該筒体１０の内側面に粉塵や微粒子が付着しなくなり、排水機能が向上する。
【００３８】
尚、その他の作用は、実施例１と同様であるため説明を省略する。
【００３９】
次に前記溜水自然排水装置１−２の中枠体１１５の交換方法を説明する。図７に示すように、外枠筒体１３の上部２３と外枠上蓋６の両端２４はネジ加工されている為、ペットボトルの蓋を外す、又ははめる要領で、簡単に該中枠体１１５を抜き出す、又は挿入することができる。従って、該中枠体１１５を簡単に交換することができるため、該溜水自然排水装置１−２の部品の取り替え及び定期保守管理等が容易となる。
【００４０】
以上のように本発明にかかる溜水自然排水装置は、構造が簡単なので壊れにくく、耐久性がある。
【００４１】
以上本発明の実施例を説明したが、本発明は上記実施例に限定されず、例えば以下のような変形が可能である。
【００４２】
（１）上記実施例は、いずれも筒体の中央にくびれ部を設けることによってその上下がラッパ状に広がるように形成しているが、くびれ部よりも上側については必ずしもラッパ状に広がるように構成しなくても良い。またくびれ部よりも上側の部分についてはなくても良い。
【００４３】
（２）フロートは上記に限定されるものではなく、要はその材質や構造から水に浮く形状であればどのような構造のものでも良い。
【００４４】
（３）上記実施例においては、マンホール本体の床に設けた排水孔内に溜水自然排水装置を後から取り付ける例を示したが、該溜水自然排水装置１はマンホール本体を製造する際に同時に取り付けても良い。
【００４５】
（４）上記実施例では本発明を通信設備用のマンホールに適用した例を示しているが、本発明の適用範囲はこの種のマンホールに限定されるものではなく、例えば電力送配電用ケーブルのマンホールやその他のマンホール、また地下室やその他の地中設備等に用いても良い。要は地下に埋設する構造物であって排水の必要性のあるものであれば、どのようなものにも適用できる。
【図面の簡単な説明】
【００４６】
【図１】実施例１における排水孔内に溜水自然排水装置を設置した状態を拡大して示す断面図である。
【図２】フロートが地下水によって上昇した状態を示す溜水自然排水装置の断面図である。
【図３】本発明の一実施例にかかる溜水自然排水装置を取り付ける通信設備用のマンホールの一例を示す概略斜視図である。
【図４】実施例２における排水孔内に溜水自然排水装置を設置した状態を拡大して示す断面図である。
【図５】溜水自然排水装置を嵩上げすることによって、粉塵や微粒子の浸入を防ぐ状態を示す断面図である。
【図６】溜水自然排水装置が、泥溜部によって粉塵や微粒子の浸入を防ぐ状態を示す断面図である。
【図７】溜水自然排水装置の中枠体の交換方法を示す断面図である。
【符号の説明】
【００４７】
１  溜水自然排水装置
１−２  溜水自然排水装置
２  フロート
３  フロートガイド
４  くびれ部
５  泥溜部
６  外枠上蓋
７  中枠上蓋
８  外枠下蓋
９  中枠下蓋
１０  筒体
１２  透水性シート
１３  外枠筒体
１４  中枠筒体
１５  フランジ
１６  振止め
１７  流出孔
１８  くびれ部の下部
１９  沈殿部
２０  パッキン
２１  透水性シート
２２  透水性シート
２３  外枠筒体のネジ加工部
２４  外枠上蓋のネジ加工部
１００ マンホール（構造物）
１１０  マンホール本体
１１１  床
１１２  砂利
１１３  排水孔
１１４  砂利穴部
１１９  土
１２０  首部
１３０  マンホール本体の蓋
１４０  通信用ケーブル
１５０  管路
１６０  ケーブル接続部
【図１】
2008013955.tif 000003
【図２】
2008013955.tif 000004
【図３】
2008013955.tif 000005
【図４】
2008013955.tif 000006
【図５】
2008013955.tif 000007
【図６】
2008013955.tif 000008
【図７】
2008013955.tif 000009